(57)【要約】      （修正有）【課題】筐体の底面と床との間に紙等が入り込んで、吸気口に吸い付いたとしても内部を冷却することができる分析装置を提供する。【解決手段】筐体１０と、筐体１０の内部に配置された発熱部１４及びファン１３とを備え、筐体１０の底面には、吸気口１１が形成されるとともに、底面と床との間に空間を設けるための脚部３０が形成されている分析装置１であって、吸気口１１を覆うように取り付けられた空間形成部材４０を備え、空間形成部材４０には、開口部４１、４２が形成されるようにする。【選択図】図２
0003191116.tif 000002
【実用新案登録請求の範囲】
【請求項１】
筐体と、
前記筐体の内部に配置された発熱部及びファンとを備え、
前記筐体の底面には、吸気口が形成されるとともに、当該底面と床との間に空間を設けるための脚部が形成されている分析装置であって、
前記吸気口を空間をあけて覆うように取り付けられた空間形成部材を備え、
前記空間形成部材には、開口部が形成されていることを特徴とする分析装置。
【請求項２】
前記空間形成部材は、前記吸気口の一部を覆うものであることを特徴とする請求項１に記載の分析装置。
【請求項３】
前記空間形成部材は、前記吸気口の第一領域を覆う第一空間形成部材と、前記吸気口の第一領域から離れた前記吸気口の第二領域を覆う第二空間形成部材とを備えることを特徴とする請求項２に記載の分析装置。
【請求項４】
前記空間形成部材には、第一開口部が形成されるとともに、当該第一開口部と離れた領域に第二開口部が形成されていることを特徴とする請求項１〜請求項３のいずれか１項に記載の分析装置。
【請求項５】
前記発熱部は、プラズマ用高周波電源と、高周波誘導コイルを有するプラズマトーチとからなることを特徴とする請求項１〜請求項４のいずれか１項に記載の分析装置。
【考案の詳細な説明】
【技術分野】
【０００１】
本考案は、分析装置に関し、特にＩＣＰ発光分光分析装置に関する。
【背景技術】
【０００２】
ＩＣＰ発光分光分析装置では、試料をプラズマ炎に導入して励起発光させ、その発光光を回折格子で波長分散させて光検出器で検出することにより、発光スペクトルを取得する。そして、発光スペクトルに現れているスペクトル線（輝線スペクトル）の波長の種類から試料中に含有されている元素の定性分析（同定）を行い、さらにその輝線スペクトルの強度からその元素の定量分析を行っている（例えば、特許文献１参照）。
【０００３】
図６は、ＩＣＰ発光分光分析装置の一例を示す斜視図であり、図７は、図６に示すＩＣＰ発光分光分析装置の断面図である。なお、地面に水平な一方向をＸ方向（左右方向）とし、地面に水平でＸ方向と垂直な方向をＹ方向（前後方向）とし、Ｘ方向とＹ方向とに垂直な方向をＺ方向（上下方向）とする。
ＩＣＰ発光分光分析装置１０１は、直方体形状の筐体１０を備え、筐体１０の内部には、プラズマ炎を形成するための発光分光分析用プラズマトーチや発光光を検出する測光部や高周波電流を供給するためのプラズマ用高周波電源等の部材（発熱部）１４や、発光分光分析用プラズマトーチ等を冷却する冷却用ファン１３等が配置されている。
【０００４】
このようなＩＣＰ発光分光分析装置１０１では、高周波電流を供給する際には高周波回路基板の素子等が発熱するため、冷却用ファン１３を回転させることによって筐体１０の底面の吸気口１１から内部に空気を吸気して流通させて排気口１２から排出することで、高周波回路基板の素子等に発生する熱を放熱している。
【０００５】
ここで、図８は、図６に示すＩＣＰ発光分光分析装置の底面斜視図である。筐体１０の底面には、長方形の吸気口１１が形成され、吸気口１１には、網状のエアフィルタ２０が金具１５で保持されている。また、筐体１０の背面には、図７に示すように長方形の排気口１２が形成されている。そして、筐体１０の底面の四隅には、それぞれ円柱形状の脚部３０が設けられている。これにより、筐体１０の底面と床との間の距離Ｙ１が形成されている。
【先行技術文献】
【特許文献】
【０００６】
【特許文献１】特開平１１−１０１７４８号公報
【考案の概要】
【考案が解決しようとする課題】
【０００７】
ところで、上述したようなＩＣＰ発光分光分析装置１０１では、筐体１０の底面から内部に空気を吸気する構造であるため、筐体１０の底面と床との間の距離Ｙ１が必要であるが、距離Ｙ１は、ＩＣＰ発光分光分析装置１０１自体のサイズを小さくするために極力小さい方がよい。しかしながら、距離Ｙ１を小さくしたときに、筐体１０の底面と床との間に、空気の流れにより異物等（特に紙）が入り込むことがあり、入り込んだ紙等が吸気口１１に吸い付くことがあった。その結果、筐体１０内部の温度が上昇し、装置に不具合が発生していた。
そこで、本考案は、筐体の底面と床との間に紙等が入り込んで、吸気口に吸い付いたとしても内部を冷却することができる分析装置を提供することを目的とする。
【課題を解決するための手段】
【０００８】
上記課題を解決するためになされた本考案の分析装置は、筐体と、前記筐体の内部に配置された発熱部及びファンとを備え、前記筐体の底面には、吸気口が形成されるとともに、当該底面と床との間に空間を設けるための脚部が形成されている分析装置であって、前記吸気口を、空間をあけて覆うように取り付けられた空間形成部材を備え、前記空間形成部材には、開口部が形成されるようにしている。
【０００９】
本考案の分析装置によれば、正常時では、空間形成部材の下面と床との間を通った空気が、空間形成部材の開口部を通過した後、吸気口から筐体の内部を通って排気口へ流通する。また、空間形成部材の上面と筐体の底面との間を通った空気は、直接吸気口から筐体の内部を通って排気口へ流通する。
【００１０】
一方、筐体の底面と床との間に紙等が入り込み、紙等が空間形成部材の下面に吸い付けられたとき（異常発生時）には、空間形成部材の下面と床との間を通った空気は、空間形成部材の開口部を通過することはできないが、空間形成部材の上面と筐体の底面との間を通った空気が、吸気口から筐体の内部を通って排気口へ流通する。つまり、筐体内部を空気が流通する。
【考案の効果】
【００１１】
以上のように、本考案の分析装置によれば、筐体の底面と床との間に紙等が入り込んで、吸気口に吸い付いたとしても、別の空間からの流路が存在するため、空気の吸入が妨げられず、その結果、内部を冷却することができる。
【００１２】
（他の課題を解決するための手段および効果）
また、本考案の分析装置において、前記空間形成部材は、前記吸気口の一部を覆うものであるようにしてもよい。
本考案の分析装置によれば、筐体の底面と床との間に紙等が入り込んで吸い付いた場合に、吸気口が空間形成部材で覆われている領域（凸部領域）では、空間形成部材の下面と床との間を通った空気は、空間形成部材の開口部を通過することができないが、空間形成部材の上面と筐体の底面との間を通った空気は、吸気口から筐体の内部を通って排気口へ流通する。また、吸気口が空間形成部材で覆われていない領域（凹部領域）では、紙等の下面と床との間を通った空気は、吸気口を通過することができないが、紙等の上面と筐体の底面との間を通った空気は、吸気口から筐体の内部を通って排気口へ流通する。
以上のように、本考案の分析装置によれば、筐体の底面と床との間に紙等が入り込んで吸い付いたとしても、凹凸の隙間からの流路が存在するため、空気の吸入が妨げられず、その結果、内部を冷却することができる。
【００１３】
また、本考案の分析装置において、前記空間形成部材は、前記吸気口の第一領域を覆う第一空間形成部材と、前記吸気口の第一領域から離れた前記吸気口の第二領域を覆う第二空間形成部材とを備えるようにしてもよい。
以上のように、本考案の分析装置によれば、筐体の底面と床との間に紙等が入り込んで吸い付いたとしても、複数の段差（凹凸）になっており、別の段差からの流路が存在するため、空気の吸入が妨げられず、その結果、内部を冷却することができる。
【００１４】
そして、本考案の分析装置において、前記空間形成部材には、第一開口部が形成されるとともに、当該第一開口部と離れた領域に第二開口部が形成されているようにしてもよい。
本考案の分析装置によれば、筐体の底面と床との間に紙等が入り込み、空間形成部材の第一開口部に吸い付いた場合に、空間形成部材の下面と床との間を通った空気は、空間形成部材の第一開口部を通過することができないが、空間形成部材の第二開口部を通過して、吸気口から筐体の内部を通って排気口へ流通することができる。
【００１５】
さらに、本考案の分析装置において、前記発熱部は、プラズマ用高周波電源と、高周波誘導コイルを有するプラズマトーチとからなるようにしてもよい。
【図面の簡単な説明】
【００１６】
【図１】本考案の実施形態に係るＩＣＰ発光分光分析装置の一例を示す斜視図。
【図２】図１に示すＩＣＰ発光分光分析装置の断面図。
【図３】図１に示すＩＣＰ発光分光分析装置の底面斜視図。
【図４】図１のＩＣＰ発光分光分析装置に紙が入り込んだ状態を示す断面図。
【図５】図４を異なる方向から見た断面図。
【図６】ＩＣＰ発光分光分析装置の一例を示す斜視図。
【図７】図６に示すＩＣＰ発光分光分析装置の断面図。
【図８】図６に示すＩＣＰ発光分光分析装置の底面斜視図。
【考案を実施するための形態】
【００１７】
以下、本考案の実施形態について図面を用いて説明する。なお、本考案は、以下に説明するような実施形態に限定されるものではなく、本考案の趣旨を逸脱しない範囲で種々の態様が含まれることはいうまでもない。
【００１８】
図１は、本考案の実施形態に係るＩＣＰ発光分光分析装置の一例を示す斜視図であり、図２は、図１に示すＩＣＰ発光分光分析装置の断面図であり、図３は、図１に示すＩＣＰ発光分光分析装置の底面斜視図である。なお、ＩＣＰ発光分光分析装置１０１と同様のものについては、同じ符号を付している。
ＩＣＰ発光分光分析装置１は、直方体形状（例えば８７ｃｍ×６４ｃｍ×５９ｃｍ）の筐体１０を備え、筐体１０の内部には、プラズマ炎を形成するための発光分光分析用プラズマトーチや発光光を検出する測光部や高周波電流を供給するためのプラズマ用高周波電源等の部材（発熱部）１４や、発光分光分析用プラズマトーチ等を冷却する冷却用ファン１３等が配置されている。
【００１９】
筐体１０の底面には、長方形（例えば２４ｃｍ×４６ｃｍ）の吸気口１１が形成され、吸気口１１には、網状のエアフィルタ２０が金具１５で保持されている。また、筐体１０の背面には、長方形（例えば２０ｃｍ×２３ｃｍ）の排気口１２が形成されている。そして、筐体１０の底面の四隅には、それぞれ円柱形状（例えば高さ５ｃｍ）の脚部３０が設けられている。これにより、筐体１０の底面と床との間の距離Ｙ１（例えば７ｃｍ）が形成されている。
【００２０】
空間形成部材４０は、第一空間形成部材４１と、第二空間形成部材４２とからなる。
第一空間形成部材４１は、板状体（例えば７９ｃｍ×１９ｃｍ×２ｃｍ）であり、その左右方向の中央領域（例えば２４ｃｍ×１４ｃｍ）には第一開口部４１ａが形成され、第一開口部４１ａは網状となっている。また、板状体の中央領域から離れた左端領域（例えば４ｃｍ×１０ｃｍ）及び右端領域（例えば４ｃｍ×１０ｃｍ）には、持ち手用開口部（第二開口部）４１ｂがそれぞれ形成されている。
【００２１】
そして、第一空間形成部材４１の左端部は筐体１０の左端部に取り付けられ、第一空間形成部材４１の右端部は筐体１０の右端部に取り付けられることで、エアフィルタ２０の下面から距離Ｙ２（例えば１．５ｃｍ）の位置に第一空間形成部材４１の上面が配置されるようになっている。このとき、第一空間形成部材４１の第一開口部４１ａが、吸気口１１の第一領域を覆うように配置される。
【００２２】
また、第二空間形成部材４２も、第一空間形成部材４１と同様の構造をしており、第二空間形成部材４２の第一開口部４２ａが、吸気口１１の第一領域から離れた吸気口１１の第二領域を覆うように配置されている。つまり、吸気口１１は、前後方向で交互に覆われたり覆われなかったりするようになっている。
【００２３】
このようなＩＣＰ発光分光分析装置１によれば、図２に示すように、冷却用ファン１３が回転することで、正常時では、第一空間形成部材４１の下面と床との間を通った空気は、第一空間形成部材４１の第一開口部４１ａを通過した後、吸気口１１から筐体１０の内部を通って排気口１２へ流通する。また、第一空間形成部材４１の上面と筐体１０の底面との間を通った空気は、直接吸気口１１から筐体１０の内部を通って排気口１２へ流通する。また、第二空間形成部材４２の下面と床との間を通った空気は、第二空間形成部材４２の第一開口部４２ａを通過した後、吸気口１１から筐体１０の内部を通って排気口１２へ流通する。また、第二空間形成部材４２の上面と筐体１０の底面との間を通った空気は、直接吸気口１１から筐体１０の内部を通って排気口１２へ流通する。
【００２４】
ところで、上述したように筐体１０の底面と床との間に、空気の流れにより紙Ｐが入り込むことがある。図４は、図１に示すＩＣＰ発光分光分析装置に紙Ｐが入り込んだ際の状態を示す断面図であり、図５は、図４とは異なる方向から見た場合の断面図である。図の通り、装置内に入り込んだ紙Ｐが、第一空間形成部材４１の第一開口部４１ａに吸い付けられている。このような場合に、本考案のＩＣＰ発光分光分析装置１によれば、冷却用ファン１３が回転することで、第一空間形成部材４１の下面と床との間を通った空気は、第一空間形成部材４１の第一開口部４１ａを通過することはできないが、第一空間形成部材４１の持ち手用開口部（第二開口部）４１ｂを通過した空気や、第一空間形成部材４１の上面と筐体１０の底面との間を通った空気が、吸気口１１から筐体１０の内部を通って排気口１２へ流通する。また、第二空間形成部材４２の下面と床との間を通った空気は、第二空間形成部材４２の第一開口部４２ａを通過した後、吸気口１１から筐体１０の内部を通って排気口１２へ流通する。また、第二空間形成部材４２の上面と筐体１０の底面との間を通った空気は、直接吸気口１１から筐体１０の内部を通って排気口１２へ流通する。
【００２５】
以上のように、本考案のＩＣＰ発光分光分析装置１によれば、筐体の底面と床との間に紙Ｐが入り込んで吸い付いたとしても、別の空間からの流路が存在するため、空気の吸入が妨げられず、その結果、内部の発熱部１４を冷却することができる。なお、測定が終了すれば、紙Ｐは第一空間形成部材４１の第一開口部４１ａから離れるので、そのときに紙Ｐを取り除けばよい。
【産業上の利用可能性】
【００２６】
本考案は、ＩＣＰ発光分光分析装置等に利用することができる。
【符号の説明】
【００２７】
１  ＩＣＰ発光分光分析装置
１０  筐体
１１  吸気口
１３  冷却用ファン
１４  部材（発熱部）
３０  脚部
４０  空間形成部材
４１ａ、４２ａ  第一開口部
【図１】
0003191116.tif 000003
【図２】
0003191116.tif 000004
【図３】
0003191116.tif 000005
【図４】
0003191116.tif 000006
【図５】
0003191116.tif 000007
【図６】
0003191116.tif 000008
【図７】
0003191116.tif 000009
【図８】
0003191116.tif 000010